(57)【要約】【課題】密閉個所を削減し、組立作業及び分解作業の効率化を図り、更に、部品点数を減らすことができるガスメータを提供する。【解決手段】カウンタケース２１の内にカウンタ１２を収納する（符号Ｐ１１参照）。次に、カウンタ１２を収納したカウンタケース２１の上面部に透明板２２を取り付け、接着剤などを用いて密閉する（符号Ｐ１２参照）。そして、カウンタユニット２０を、上ケース１０の開口部１０ａに、密閉して取り付ける（符号Ｐ１３参照）。【選択図】図１
2010145335.tif 000002
【特許請求の範囲】
【請求項１】
ガス流量を計測する計測ユニット部を収納した本体ケースの上ケースと、前記上ケースの開口部に取り付けられ、ガス流量を表示するカウンタ部と、前記カウンタ部を覆うように前記上ケースに取り付けられる外カバーとから構成されるガスメータにおいて、
前記カウンタ部は、前記上ケースの開口部に取り付けられ、内部にカウンタ機構を収納するカウンタケースを有し、前記カウンタケースには、前記上ケースの開口部に取り付けられる底面部に、当該カウンタケースに収納されたカウンタ機構と前記計測ユニットのカウンタ駆動部との接続用の窓が形成され、前記カウンタケースにおける上面部は透明板で密閉され、
前記カウンタケース内に前記カウンタ機構を収納し前記透明板で密閉したカウンタユニットを前記上ケースの開口部に密閉して取り付けることを特徴とするガスメータ。
【発明の詳細な説明】
【技術分野】
【０００１】
本発明は、ガスメータにおける、ガス流量を表示するカウンタの取付構造に関する。
【背景技術】
【０００２】
ガス流量を計測するガスメータが様々提案されている（特許文献１参照）。
図３は、一般的なガスメータ１００の外観図である。１０は、本体ケースの上部を構成する上ケースで、１１は、ガスメータの下部を構成する下ケースである。
１２は、ガス流量を表示するカウンタ機構（以下、カウンタと記す）で、１３は、外カバーで、カウンタ１２を覆うように、上ケース１０にネジ等により取り付けられる。
【０００３】
１４は、電子ユニット部で、感震センサ等の各種センサの出力に基づいて、例えばガス遮断処理などの制御を行う電子制御基板や警報器、宅内操作器などの外部機器と接続する端子台（図４参照）が設けており、端子台カバー１４ａ等のカバーによって覆われている。
【０００４】
上記のガスメータ１００におけるカウンタ取り付け構造を、図４を用いて説明する。
図４は、ガスメータ１００の分解斜視図であり、本発明の背景技術を説明する上で必要のない下ケース１１の図示を省略している。また、電子ユニット部１４の端子台カバー１４ａが取り外され、端子台１４ｂが露出している。
【０００５】
上ケース１０には、スペーサ１５が取り付けられる開口部１０ａが形成され、更に、ガス流量計測部、圧力センサ、ガス遮断弁などの計測ユニット部１０ｂが収納されている。
スペーサ１５は、圧力センサ、ガス遮断弁などが収納されたガス室部と後述のカウンタ取り付けスペースを分離する。
【０００６】
上ケース１０内に収納された計測ユニット部１０ｂでは、ガス流量が計測され、当該ガス流量の計測は、ガス供給口１０ｃから流入してきたガスをガス排出口１０ｄへ排出する過程における、計量膜の往復運動をクランク機構に伝達して、回転運動に変換し、カウンタ１２の数字車に連結する歯車を備えた回転軸を回転させることにより行われる。なお、前記クランク機構、数字車、歯車、回転軸などのカウンタ駆動部を含めた計測ユニットの詳細については図示を省略する。
【０００７】
カウンタを取り付ける前に、上ケース１０の開口部１０ａにスペーサ１５を密閉して取り付ける（符号Ｐ１参照）。この際に、上ケースの開口部１０ａの壁上面１０ｅとスペーサ１５との間にパッキン（図示せず）を介在させる。上記の密閉により、外部から水滴などが計測ユニット部１０ｂ等に侵入することを防ぐことができる。
【０００８】
そして、スペーサ１５に、カウンタ１２を取り付ける（符号Ｐ２）。なお、このとき、カウンタ１２の数字車と、計測ユニット部１０ｂの回転軸に設けられた歯車とが接続（連結）する。
次に、カウンタ１２を覆うように、スペーサ１５にカウンタ筒１６を密閉して取り付ける（符号Ｐ３）。この際にも、上記のようにパッキン（図示せず）をスペーサ１５とカウンタ筒１６の間に介在させる。なお、カウンタ筒１６の内部に、ガラス等の透明板１６ａが密閉して取り付けられている。上記の密閉により、外部から水滴などが、カウンタ１２等に侵入することを防ぐことができる。
【０００９】
なお、最後に、電子ユニット部１４の取付部１４ｃの孔に、スペーサ１５の突起部１５ａを挿入することによって、電子ユニット部１４をスペーサ１５に取り付け（符号Ｐ４）、外カバー１３を、カウンタ１２及びカウンタ筒１６を覆うように、上ケース１０、電子ユニット部１４に取り付ける（符号Ｐ５参照）。外カバー１３の取り付けは、凹凸嵌合又はネジによってもよい。
【特許文献１】特開２００１−４４２５号公報
【発明の開示】
【発明が解決しようとする課題】
【００１０】
このようにして、カウンタを取り付ける場合、上記のように、上ケース１０とスペーサ１５との間の密閉、スペーサ１５とカウンタ筒１６との間の密閉、及び、カウンタ筒１６と透明板１６ａとの間の密閉を行わなければならず、密閉しなければならない個所が多くなるに従い、気密性が確保しづらくなる。また、パッキン等の密閉部材の部品点数が増え、組立作業に手間が掛かり、製品価格が上昇する。
【００１１】
また、ガスメータ１００を組み立てる場合、カウンタ１２、スペーサ１５、カウンタ筒１６等の個々の部品を順次取り付けなければならないため、各部品の組立作業に手間が掛かる。
【００１２】
他にも、例えば、上ケース１０の計測ユニット部１０ｂを修理するため、ガスメータ１００を分解する場合、上記の各工程を逆に実行する。しかし、各カウンタ部品を順次取り外して、カウンタ部品を分解しなければならないので、各部品の分解作業に手間が掛かる。これは、リサイクル目的で、ガスメータ１００を分解する場合も同様である。
【００１３】
本発明は、かかる実情に鑑みてなされたものであり、密閉個所を削減し、組立作業及び分解作業の効率化を図り、更に、部品点数を減らすことができるガスメータを提供することを目的とする。
【課題を解決するための手段】
【００１４】
請求項１の発明は、ガス流量を計測する計測ユニット部を収納した本体ケースの上ケースと、前記上ケースの開口部に取り付けられ、ガス流量を表示するカウンタ部と、前記カウンタ部を覆うように前記上ケースに取り付けられる外カバーとから構成されるガスメータにおいて、前記カウンタ部は、前記上ケースの開口部に取り付けられ、内部にカウンタ機構を収納するカウンタケースを有し、前記カウンタケースには、前記上ケースの開口部に取り付けられる底面部に、当該カウンタケースに収納されたカウンタ機構と前記計測ユニットのカウンタ駆動部との接続用の窓が形成され、前記カウンタケースにおける上面部は透明板で密閉され、前記カウンタケース内に前記カウンタ機構を収納し前記透明板で密閉したカウンタユニットを前記上ケースの開口部に密閉して取り付けることを特徴とするガスメータである。
【発明の効果】
【００１５】
本発明により、密閉個所が削減できるので、気密性を確保しやすくなる。また、スペーサが不要になるので、部品点数が少なくなり、コストの削減及び製品重量の削減が可能になり、ガスメータの組立作業及び分解作業の効率化を図ることができる。
【発明を実施するための最良の形態】
【００１６】
ここで、図１及び図２を参照して、本発明に係るガスメータについて詳細に説明する。
図１は、本発明に係るガスメータ１の分解斜視図で、２１は、上ケース１０の開口部１０ａに取り付けられ、内部にカウンタ１２を収納するカウンタケース、２２は、カウンタケースの上面部を密閉する透明板である。本発明では、カウンタ１２、カウンタケース２１、透明板２２を組み立て、カウンタユニット（カウンタ部）２０を構成する。
Ｖ１は、ガスメータ１の正面方向を示し、Ｖ２は、ガスメータ１の側面方向を示している。
【００１７】
図２（Ａ）は、図１のＶ１方向から見た、カウンタケース２１の正面図、図２（Ｂ）は、図１のＶ２方向から見た側面図である。
【００１８】
カウンタケース２１の底面部２１１には、カウンタケース２１に収納されたカウンタ１２の数字車と計測ユニット部１０ｂの回転軸（カウンタ駆動部）との接続用の窓２１１ｃが形成されている。他にも、カウンタケース２１の下部には、突起部２１１ａを備えた取付部２１１ｂが２つ形成され、突起部２１１ａは、電子ユニット部１４の取付部１４ｃの孔に挿入される。
【００１９】
以下に、カウンタユニット２０の取り付け構造を、図１及び図２を用いて説明する。
まず、カウンタユニット２０の組み立てについて説明する。最初に、カウンタケース２１の内にカウンタ１２を収納する（符号Ｐ１１参照）。次に、カウンタ１２を収納したカウンタケース２１の上面部に透明板２２を取り付け、接着剤を用いて密閉する（符号Ｐ１２参照）。
【００２０】
このようにして組み立てられたカウンタユニット２０を、上ケース１０の開口部１０ａに、密閉して取り付ける（符号Ｐ１３参照）。この際に、開口部１０ａの壁上面１０ｅとカウンタユニット２０の底面部２１１にパッキン（図示せず）を介在させる。なお、このとき、カウンタケース２１の底面の窓２１１ｃを介して、上ケース１０の計測ユニット部１０ｂの回転軸（カウンタ駆動部）とカウンタ１２の数字車とが接続（連結）している。
【００２１】
カウンタユニット２０を上ケース１０の開口部１０ａに取り付ける方法は、従来から提案されている様々な方法を用いることができる。例えば、開口部１０ａの壁上面１０ｅに凹部、カウンタケース２１の底面部２１１に凸部を設け、両者を凹凸嵌合させて取り付けてもよいし、ネジなどにより、取り付けてもよい。
【００２２】
最後に、電子ユニット部１４の取付部１４ｃの孔に、カウンタユニット２０の突起部２１１ａを挿入することによって、電子ユニット部１４をカウンタユニット２０に取り付け（符号Ｐ１４参照）、外カバー１３を、カウンタユニット２０を覆うように、上ケース１０、電子ユニット部１４に取り付ける（符号Ｐ１５参照）。外カバー１３の取り付けは、前述のように、凹凸嵌合又はネジによってもよい。
【００２３】
従来のガスメータの場合、密封個所は３個所であったが、本発明のガスメータの場合、上ケース１０とカウンタユニット２０との間の密閉、カウンタケース２１と透明板２２との間の密閉と、密閉個所を２個所にすることができ、気密性が向上し、更に、部品点数も削減できる。また、部品点数が少なくなるので、ガスメータの組立分解作業が簡略化され、コストダウンを実現できる。
【図面の簡単な説明】
【００２４】
【図１】本発明に係るガスメータの分解斜視図である。
【図２】カウンタケースの外観図である。
【図３】ガスメータの外観図である。
【図４】従来のガスメータの分解斜視図である。
【符号の説明】
【００２５】
１，１００…ガスメータ、１０…上ケース、１０ａ…開口部、１０ｂ…計測ユニット部、１０ｃ…ガス供給口、１０ｄ…ガス排出口、１０ｅ…壁上面、１１…下ケース、１２…カウンタ、１３…外カバー、１４…電子ユニット部、１４ａ…端子台カバー、１４ｂ…端子台、１４ｃ…取付部、１５…スペーサ、１５ａ…突起部、１６…カウンタ筒、１６ａ…透明板、２０…カウンタユニット、２１…カウンタケース、２１１…底面部、２１１ａ…突起部、２１１ｂ…取付部、２１１ｃ…窓、２２…透明板。
【図１】
2010145335.tif 000003
【図２】
2010145335.tif 000004
【図３】
2010145335.tif 000005
【図４】
2010145335.tif 000006